(57)【要約】【課題】扉の開放時に、ストライク板表面やトロヨケ凹部に、調整ねじやその工具係着部が表出しないストライク穴調整機構を得る。【解決手段】ストライク穴調整機構１００において、扉１が取り付けられる開口枠の縦の枠１０に固定され開放空間を有するトロヨケ１１と、トロヨケ１１の開放空間に、扉１の厚み方向Ｄの間隙を有することで可動可能に嵌合され扉１から突出される錠ボルト７の進入空間２５を内方に有した枠状の調整ブロック１３と、間隙に挟入されて調整ブロック１３の可動を規制するスペーサ板１５と、トロヨケ１１に固定されトロヨケ１１を覆うとともに調整ブロック１３及びスペーサ板１５を脱落不能に保持し進入空間２５を開口させる開口穴を有したストライク板１７とを具備し、錠ボルト７との衝止面１３ｃを調整ブロック１３の枠壁の内面に形成した。【選択図】      図１
2008274645.tif 000002
【特許請求の範囲】
【請求項１】
扉が取り付けられる開口枠の縦の枠に固定され開放空間を有するトロヨケと、
該トロヨケの前記開放空間に、扉の厚み方向の間隙を有することで可動可能に嵌合され前記扉から突出される錠ボルトの進入空間を内方に有した枠状の調整ブロックと、
前記間隙に挟入されて前記調整ブロックの可動を規制するスペーサ板と、
前記トロヨケに固定され該トロヨケを覆うとともに前記調整ブロック及び該スペーサ板を脱落不能に保持し前記進入空間を開口させる開口穴を有したストライク板と、
を具備し、
前記錠ボルトとの衝止面が前記調整ブロックの枠壁の内面に形成されたことを特徴とするストライク穴調整機構。
【請求項２】
前記衝止面が、異なる厚みの前記枠壁に形成されたことを特徴とする請求項１記載のストライク穴調整機構。
【請求項３】
前記調整ブロックが、前記錠ボルト挿入方向の表裏を反転して前記開放空間に嵌合可能となり、
前記衝止面が、一つの前記枠壁の厚みの異なる表側と裏側との内面に形成されたことを特徴とする請求項１又は２記載のストライク穴調整機構。
【請求項４】
前記調整ブロックと前記スペーサ板とが縦方向に延在する凹部と凸部で嵌合されることを特徴とする請求項１，２，３のいずれか１つに記載のストライク穴調整機構。
【請求項５】
前記調整ブロックと前記スペーサ板の表裏面の上縁及び下縁には、前記開口穴の上辺部及び下辺部に覆われる段部が形成されたことを特徴とする請求項１，２，３，４のいずれか１つに記載のストライク穴調整機構。
【発明の詳細な説明】
【技術分野】
【０００１】
本発明は、扉開閉端から突出される錠ボルトの側部衝止位置が左右方向（扉厚み方向）に調整可能となるストライク穴調整機構に関する。
【背景技術】
【０００２】
扉は、扉開閉端から突出させたラッチボルト（デッドボルト兼用のものも含む）、デッドボルト、又はグレモン錠係止杆、或いはこれらを適宜組み合わせた施錠係止手段（以下、「錠ボルト」と言う）を、扉枠又は両開き扉の他の扉（以下、「非開閉体」と言う。）に係止して閉扉、施錠を可能とする。錠ボルトは、扉開閉端から突出され、非開閉体に固定したストライク板の開口穴であるストライク穴に進入することで、錠ボルト側部がストライク穴の衝止縁に当接して扉を開放不能に施錠する。
【０００３】
この種の施錠構造では、扉枠と扉との建て付けや、施錠装置の施工・製造誤差により、錠ボルトと衝止縁との間に隙間が生じ、その結果、風や振動によって扉にガタツキの生じる場合がある。このような不具合を解消したものに、例えば特許文献１に開示される調整式ストライクがある。この調整式ストライクは、調整用のねじをドライバ等の工具で回すだけで、錠ボルトに対する係合部（衝止縁）を有する内ケースの水平方向の位置を容易に調整でき、扉のガタツキを無くすように構成されている。
【特許文献１】特開平１０−１０２８３９号公報
【発明の開示】
【発明が解決しようとする課題】
【０００４】
しかしながら、上記した従来の調整式ストライクに採用されているストライク穴調整機構は、調整ねじの頭部に工具係着部を設け、その工具係着部を内ケース内に露出させているため、扉の開放時に、ストライク板を固定する螺合手段（ネジ）、調整ねじ等の多数のネジ類が表出し、見栄えを低下させる問題があった。また、扉の開放時に工具係着部（調整部）が表出することで、調整ねじが悪戯されることもあった。さらに、工具係着部を悪意で操作して扉にガタツキを生じさせれば、不正な施錠解除も可能となり、防犯性を低下させる虞もあった。また、錠ボルトに対する係合部を有する内ケースが板金部材等により箱状に形成されるため、錠ボルトの衝止強度を十分に高めることが困難であり、防犯性を低下させる要因ともなった。
【０００５】
本発明は上記状況に鑑みてなされたもので、扉の開放時に、ストライク板表面やトロヨケ凹部に、調整ねじやその工具係着部が表出しないとともに、錠ボルトの衝止強度が高められるストライク穴調整機構を提供し、もって、見栄えの向上、調整ねじの悪戯防止、防犯性の向上を図ることを目的とする。
【課題を解決するための手段】
【０００６】
次に、上記の課題を解決するための手段を、実施の形態に対応する図面を参照して説明する。
本発明の請求項１記載のストライク穴調整機構は、扉１が取り付けられる開口枠の縦の枠１０に固定され開放空間２３を有するトロヨケ１１と、
該トロヨケ１１の前記開放空間２３に、扉１の厚み方向Ｄの間隙を有することで可動可能に嵌合され前記扉１から突出される錠ボルト７の進入空間２５を内方に有した枠状の調整ブロック１３と、
前記間隙に挟入されて前記調整ブロック１３の可動を規制するスペーサ板１５と、
前記トロヨケ１１に固定され該トロヨケ１１を覆うとともに前記調整ブロック１３及び該スペーサ板１５を脱落不能に保持し前記進入空間２５を開口させる開口穴３１を有したストライク板１７と、
を具備し、
前記錠ボルト７との衝止面１３ｃが前記調整ブロック１３の枠壁４１ｂの内面に形成されたことを特徴とする。
【０００７】
このストライク穴調整機構では、扉１の開放時に、ストライク板表面やトロヨケ凹部に、調整ねじの工具係着部が表出しない。また、衝止面１３ａ，１３ｂ，１３ｃが調整ブロック１３に形成され、錠ボルト７の衝止強度が高められる。
【０００８】
請求項２記載のストライク穴調整機構は、前記衝止面１３ａ，１３ｂ，１３ｃが、異なる厚みの前記枠壁４１ａ，４１ｂに形成されたことを特徴とする。
【０００９】
このストライク穴調整機構では、調整ブロック１３が、姿勢を変えてトロヨケ１１の開放空間２３に嵌入されることで、異なる厚みの枠壁４１ａ，４１ｂの内面が錠ボルト７に接触することとなる。
【００１０】
請求項３記載のストライク穴調整機構は、前記調整ブロック１３が、前記錠ボルト挿入方向の表裏を反転して前記開放空間２３に嵌合可能となり、
前記衝止面１３ｂ，１３ｃが、一つの前記枠壁４１ｂの厚みの異なる表側と裏側との内面に形成されたことを特徴とする。
【００１１】
このストライク穴調整機構では、調整ブロック１３が、表裏を反転してトロヨケ１１の開放空間２３へ嵌入されることで、一つの枠壁４１ｂが異なる２つの衝止面１３ｂ，１３ｃとして利用可能となる。
【００１２】
請求項４記載のストライク穴調整機構は、前記調整ブロック１３と前記スペーサ板１５とが縦方向に延在する凹部１９と凸部２７で嵌合されることを特徴とする。
【００１３】
このストライク穴調整機構では、凹凸部延在方向に直交する方向、すなわち、開口穴３１から取り外せる方向に対し、調整ブロック１３及びスペーサ板１５が強固に嵌合される。
【００１４】
請求項５記載のストライク穴調整機構は、前記調整ブロック１３と前記スペーサ板１５の表裏面の上縁及び下縁には、前記開口穴３１の上辺部及び下辺部に覆われる段部３９が形成されたことを特徴とする。
【００１５】
このストライク穴調整機構では、調整ブロック１３及びスペーサ板１５の上下縁に設けられた段部３９が、ストライク板１７の裏面から開口穴３１の上辺部及び下辺部に当接され、調整ブロック１３及びスペーサ板１５の保持強度が高められる。
【発明の効果】
【００１６】
本発明に係る請求項１記載のストライク穴調整機構によれば、開放空間を有するトロヨケと、開放空間に可動可能に嵌合され錠ボルトの進入空間を内方に有した枠状の調整ブロックと、間隙に挟入されて調整ブロックの可動を規制するスペーサ板と、調整ブロック及びスペーサ板を脱落不能に保持し進入空間を開口させるストライク板とを具備し、錠ボルトとの衝止面を調整ブロックの枠壁の内面に形成したので、扉の閉鎖時において、扉がガタつくなどが解消され、また、扉の開放時に、ストライク板表面やトロヨケ凹部に、調整ねじの工具係着部が表出せず、見栄えを良くすることができる。また、調整部が悪戯されることも防止できる。さらに、調整部を悪意で操作して扉にガタツキを生じさせることが困難となるので、防犯性も向上させることができる。また、衝止面が調整ブロックに形成されるので、錠ボルトの衝止強度を高めることができ、これによっても防犯性を向上させることができる。
【００１７】
請求項２記載のストライク穴調整機構によれば、衝止面が、異なる厚みの枠壁に形成されたので、調整ブロックの姿勢を変えてトロヨケの開放空間に嵌入することで、異なる厚みの枠壁の内面が錠ボルトに接触することとなり、他部材や複雑な調整機構によらず、錠ボルトとの衝止面を簡単な構造で且つ容易に変位させることができる。
【００１８】
請求項３記載のストライク穴調整機構によれば、調整ブロックが、錠ボルト挿入方向の表裏を反転して開放空間に嵌合可能となり、衝止面が、一つの枠壁の厚みの異なる表側と裏側とに形成されたので、調整ブロックの表裏を反転させてトロヨケの開放空間へ嵌入することで、一つの枠壁を異なる２つの衝止面として利用することができ、衝止面の変位パターン数を多く確保することができる。
【００１９】
請求項４記載のストライク穴調整機構によれば、調整ブロックとスペーサ板とが縦方向に延在する凹部と凸部で嵌合されるので、凹凸部延在方向に直交する方向、すなわち、開口穴から取り外される、或いは脱落する方向への調整ブロック及びスペーサ板の一体固定強度を高めることができる。
【００２０】
請求項５記載のストライク穴調整機構によれば、調整ブロックとスペーサ板の表裏面の上縁及び下縁に、開口穴の上辺部及び下辺部に覆われる段部が形成されたので、調整ブロック及びスペーサ板の上下縁の段部を、ストライク板の裏面から開口穴の上辺部及び下辺部に当接して、保持強度を高めることができ、調整ブロック及びスペーサ板の開口穴からの脱落を確実に防止できる。
【発明を実施するための最良の形態】
【００２１】
以下、本発明に係るストライク穴調整機構の好適な実施の形態を図面を参照して詳細に説明する。
図１は本発明に係るストライク穴調整機構の横断面図、図２はストライク穴調整機構の外観斜視図、図３はストライク穴調整機構の分解斜視図である。
扉１が取り付けられる建物の開口枠の縦の枠１０にはトロヨケ１１を覆うストライク板１７が固定される。ストライク板１７は、図３に示す固定孔３３，３３に挿通されたビス３５，３５が、トロヨケ１１の上下鍔部２０，２０に穿設された固定孔２１，２１に貫通して縦の枠１０に固定される。
【００２２】
ストライク板１７には矩形状の開口穴３１が形成され、開口穴３１には図１に示す扉１の木口１ｂから突出される錠ボルト７が進入する。本実施の形態に係るストライク穴調整機構１００は、このストライク板１７をカバー構成部材として有することで主要部が覆われる。錠ボルト７には係合面７ａと傾斜面７ｂが形成され、係合面７ａは後に詳述する調整ブロック１３の衝止面１３ｃに当接する。
【００２３】
ストライク板１７の縦辺部にはＲ曲げ部３７が形成され、Ｒ曲げ部３７は錠ボルト７の傾斜面７ｂと衝接する。ストライク板１７の開口穴３１には後述する調整ブロック１３、スペーサ板１５の一部分が図１に示すように僅かに表出する。なお、図３中、２３はトロヨケ１１の開放空間、２５は調整ブロック１３の錠ボルト進入空間を表す。
【００２４】
縦の枠１０には扉当たり部３が形成され、扉当たり部３はガスケット５を有する。扉１は、一方の面１ａの周縁がこのガスケット５を介して扉当たり部３に当たる。扉１は、突出した錠ボルト７がトロヨケ１１の進入空間２５に進入して、係合面７ａが調整ブロック１３の衝止面１３ｃに当接することで、ガスケット５を潰して閉止される。
【００２５】
調整ブロック１３は、内方に進入空間２５を有した矩形枠状に形成され、トロヨケ１１の開放空間２３に、扉１の厚み方向Ｄ（図１参照）の間隙を有することで可動可能に嵌合される。この間隙には調整ブロック１３の可動を規制するスペーサ板１５が挟入される。
【００２６】
ストライク板１７は、調整ブロック１３及びスペーサ板１５を脱落不能に保持する。すなわち、図３に示す調整ブロック１３とスペーサ板１５の表裏面の上縁及び下縁には、開口穴３１の上辺部３１ａ及び下辺部３１ｂに覆われる段部３９が形成される。調整ブロック１３及びスペーサ板１５の上下縁に設けられた段部３９は、スペーサ板裏面の開口穴３１の上辺部及び下辺部に当接される。これにより、保持強度を高めることができ、調整ブロック１３及びスペーサ板１５の開口穴３１からの脱落が確実に防止されている。
【００２７】
図４は調整ブロックとスペーサ板の断面図である。
調整ブロック１３の枠壁４１ａ，４１ｂの内面には衝止面１３ａ，１３ｂ，１３ｃが形成され、それぞれの衝止面１３ａ，１３ｂ，１３ｃは錠ボルト７の係合面７ａと当接可能となっている。本実施の形態では、衝止面１３ａ，１３ｂ，１３ｃが、異なる厚みの枠壁４１ａ，４１ｂに形成されている。したがって、調整ブロック１３の姿勢を変えて、トロヨケ１１の開放空間２３に嵌入することで、異なる厚みの枠壁４１ａ，４１ｂの内面が錠ボルト７に接触することとなる。これにより、他部材や複雑な調整機構によらず、錠ボルト７との衝止面を簡単な構造で且つ容易に変位させることができるようになっている。
【００２８】
調整ブロック１３は、錠ボルト挿入方向の表裏を反転して、開放空間２３に嵌合可能となる。図４に示すように、例えば衝止面１３ｂ，１３ｃは、一つの枠壁４１ｂの厚みの異なる表側と裏側との内面に形成されている。これにより、調整ブロック１３の表裏を反転させてトロヨケ１１の開放空間２３へ嵌入することで、一つの枠壁４１ｂを異なる２つの衝止面１３ｂ，１３ｃとして利用することができ、衝止面の変位パターン数を多く確保することができるようになっている。
【００２９】
また、調整ブロック１３とスペーサ板１５とは、縦方向に延在する凹部１９と凸部２７で互いに嵌合される。これにより、凹凸部延在方向に直交する方向、すなわち、開口穴３１から脱落する方向への調整ブロック１３及びスペーサ板１５の一体固定強度が高めるられている。なお、図４の例では、枠壁４１ａにスペーサ板１５が組み合わされることで、枠壁４１ａの厚みＴ１とスペーサ板１５の厚みＰとの合計厚Ｔ１Ｐ（図５（ａ）参照）が、調整衝止面１３ａとされている。
【００３０】
次に、上記のように構成されたストライク穴調整機構の作用を説明する。
図５は調整ブロックとスペーサ板との組合せパターンを（ａ）〜（ｆ）に表した説明図である。
ストライク穴調整機構１００では、トロヨケ１１の開放空間２３に、調整ブロック１３とスペーサ板１５とを種々の向き、配置位置で組み合わせて嵌入することにより、衝止面１３ａ，１３ｂ，１３ｃを変位させることができる。これにより、調整用のねじや、ドライバ等の工具を不要にして、錠ボルト７に対する衝止面１３ａ，１３ｂ，１３ｃのトロヨケ１１内における水平方向（扉の厚さＤ方向）の位置を容易に調整でき、扉１のガタツキを無くすように構成されている。
【００３１】
例えば枠壁４１ａを衝止面１３ａとする向きでは、図５（ａ）（ｂ）に示すように、スペーサ板１５を組み合わせるか否かにより、係合面７ａと開放空間２３の一方の内壁とに挟まれる間隙寸法を、Ｔ１Ｐ及びＴ１の２通りに変えることができる。
【００３２】
また、枠壁４１ｂを衝止面１３ｂとする向きでは、図５（ｃ）（ｄ）に示すように、スペーサ板１５を組み合わせるか否かにより、係合面７ａと開放空間２３の一方の内壁とに挟まれる間隙寸法を、Ｔ２Ｐ及びＴ２の２通りに変えることができる。
【００３３】
さらに、枠壁４１ｂを衝止面１３ｃとする向きでは、図５（ｅ）（ｆ）に示すように、スペーサ板１５を組み合わせるか否かにより、係合面７ａと開放空間２３の一方の内壁とに挟まれる間隙寸法を、Ｔ３Ｐ（図１参照）及びＴ３の２通りに変えることができる。
【００３４】
したがって、上記のストライク穴調整機構１００によれば、開放空間２３を有するトロヨケ１１と、開放空間２３に可動可能に嵌合され錠ボルト７の進入空間２５を内方に有した枠状の調整ブロック１３と、間隙に挟入されて調整ブロック１３の可動を規制するスペーサ板１５と、調整ブロック１３及びスペーサ板１５を脱落不能に保持し進入空間２５を開口させるストライク板１７とを具備し、錠ボルト７との衝止面１３ａ，１３ｂ，１３ｃを調整ブロック１３の枠壁４１ａ，４１ｂの厚さを変えることでその内面に形成したので、上記実施の形態では、６通りの組み合わせで衝止面の変位を構成でき、また、扉１の開放時に、ストライク板表面やトロヨケ凹部に、調整ねじや、その工具係着部が表出せず、見栄えを良くすることができる。また、調整部が悪戯されることも防止できる。さらに、調整部を悪意で操作して扉にガタツキを生じさせることが困難となるので、防犯性も向上させることができる。また、衝止面１３ａ，１３ｂ，１３ｃが調整ブロック１３に形成されるので、錠ボルト７との当接を面で構成し、錠ボルト７の衝止強度を高めることができ、これによっても防犯性を向上させることができる。
【００３５】
次に、上記した調整ブロック１３の変形例を説明する。
図６はそれぞれの枠壁が異なる厚みで形成された変形例１の組合せパターンを（ａ）〜（ｄ）に表した説明図である。
この変形例に係る調整ブロック１３Ａでは、二つの枠壁４１ａ，４１ｂのそれぞれに衝止面１３ａ，１３ｂが形成されている。
したがって、枠壁４１ａを衝止面１３ａとする向きでは、図６（ａ）（ｃ）に示すように、スペーサ板１５の無し、有りにより、係合面７ａと開放空間２３の一方の内壁とに挟まれる間隙寸法を、Ｔ１及びＴ１Ｐの２通りに変えることができる。
【００３６】
また、枠壁４１ｂを衝止面１３ｂとする向きでは、図６（ｂ）（ｄ）に示すように、スペーサ板１５の無し、有りにより、係合面７ａと開放空間２３の一方の内壁とに挟まれる間隙寸法を、Ｔ２及びＴ２Ｐの２通りに変えることができる。すなわち、この例によれば、４通りの構成を得られる。
【００３７】
図７は二つの枠壁のそれぞれが異なる二つの厚みで形成された変形例２に係る調整ブロックの断面図である。
さらに、変形例２に係る調整ブロック１３Ｂのように、枠壁４１ｂに衝止面１３ｂ，１３ｃを形成し、枠壁４１ｃに衝止面１３ｄ，１３ｅを形成すれば、係合面７ａと開放空間２３の一方の内壁とに挟まれる間隙寸法を、Ｔ１、Ｔ２、Ｔ４、Ｔ５（Ｔ１＜Ｔ２＜Ｔ４＜Ｔ５）に変えることができる。そして、図示しないが、上記同様に、スペーサ板の無し、有りの組み合わせを行うことで、係合面と開放空間の一方の内壁とに挟まれる間隙寸法をそれぞれ変えることができ、合計で８通りの組み合わせとなり、それぞれの厚さでの衝止面の変位位置を得ることができる。
【００３８】
さらに、図示はしないが、調整ブロックの形状を縦横の長さを同等とした正方形とした外形を略立方体の枠状形状として、トロヨケの開放空間についても正方形として嵌合できるよう構成することで、調整ブロックの四辺においての各枠壁で厚さを異なるよう構成してもよく、すなわち、９０°毎回転させて嵌合させることで間隙寸法を４通りで構成でき、スペーサ板の無し、有りの組み合わせで計８通りの組み合わせが可能となり、且つ、調整ブロックの表裏で枠壁の厚さを異なる構成とすることで、１６通りの組み合わせを可能とすることができる。
【図面の簡単な説明】
【００３９】
【図１】本発明に係るストライク穴調整機構の横断面図である。
【図２】ストライク穴調整機構の外観斜視図である。
【図３】ストライク穴調整機構の分解斜視図である。
【図４】調整ブロックとスペーサ板の断面図である。
【図５】調整ブロックとスペーサ板との組合せパターンを（ａ）〜（ｆ）に表した説明図である。
【図６】それぞれの枠壁が異なる厚みで形成された変形例１の組合せパターンを（ａ）〜（ｄ）に表した説明図である。
【図７】二つの枠壁のそれぞれが異なる二つの厚みで形成された変形例２に係る調整ブロックの断面図である。
【符号の説明】
【００４０】
１…扉
７…錠ボルト
１０…縦の枠
１１…トロヨケ
１３…調整ブロック
１３ａ，１３ｂ，１３ｃ…衝止面
１５…スペーサ板
１７…ストライク板
１９…凹部
２３…開放空間
２５…進入空間
２７…凸部
３１…開口穴
３９…段部
４１ａ，４１ｂ…枠壁
１００…ストライク穴調整機構
Ｄ…扉の厚み方向
【図１】
2008274645.tif 000003
【図２】
2008274645.tif 000004
【図３】
2008274645.tif 000005
【図４】
2008274645.tif 000006
【図５】
2008274645.tif 000007
【図６】
2008274645.tif 000008
【図７】
2008274645.tif 000009